(57)【要約】【課題】風切音の低減が可能な車両用空調装置を提供する。【解決手段】車両用空調装置１は、空気通路１０ａを内部に形成する空調ケース１０と、空調ケース１０内に設けられ、空気通路１０ａを開閉する吹出ドア１００と、を備える。吹出ドア１００は、回動可能な回転軸部１１０と、回転軸部１１０に連結されて回転軸部１１０とともに回動するドア板部１２０と、空気通路１０ａを閉じた状態で空調ケース１０と接触する弾性変形可能な弾性部１３０とを備える。吹出ドア１００は、ドア板部１２０における空気流れの上流側の上流面１２１において、回転軸部１１０の軸方向に直交する方向に関して弾性部１３０よりも回転軸部１１０側に形成されたリブ１４０と、を有する。【選択図】図１
2019137143.tif 000002
【特許請求の範囲】
【請求項１】
空気が流通する空気通路（１０ａ）を内部に形成する空調ケース（１０）と、
前記空調ケース内に設けられ、前記空気通路を開閉する開閉ドア（１００）と、
を備え、
前記開閉ドアは、
回動可能な回転軸部（１１０）と、
前記回転軸部に連結されて前記回転軸部の軸回りに回動するドア板部（１２０）と、
前記回転軸部の径方向における前記ドア板部の端部に設けられ、前記ドア板部と異なる弾性変形可能な材料で形成されており、前記空気通路を閉じた状態で前記空調ケースと接触する弾性部（１３０、４１３０）と、
前記ドア板部における前記空気の流れの上流側に位置する表面（１２１）において、前記径方向に関して前記弾性部よりも前記回転軸部側に形成されたリブ（１４０、２１４０）と、
を有する車両用空調装置。
【請求項２】
前記リブは、前記回転軸部の軸方向に複数並んで設けられている請求項１に記載の車両用空調装置。
【請求項３】
前記軸方向において隣接する前記リブと前記リブとの間の幅寸法は、前記軸方向における複数の前記リブ自体の幅寸法よりも小さい請求項２に記載の車両用空調装置。
【請求項４】
前記弾性部は、前記ドア板部の外周縁において前記径方向に突出するように形成されており、前記軸方向に並ぶ複数の突出部（１３１）を先端に有し、
隣接する前記リブと前記リブとの間の幅寸法は、隣接する前記突出部と前記突出部との間の幅寸法と同等以下である請求項２または請求項３に記載の車両用空調装置。
【請求項５】
隣接する前記リブと前記リブとの間の隙間の位置は、隣接する前記突出部と前記突出部との間の隙間の位置に対して前記軸方向にずれている請求項４に記載の車両用空調装置。
【請求項６】
隣接する前記リブと前記リブとの間の隙間の前記軸方向における位置は、隣接する前記突出部と前記突出部との間の隙間の前記軸方向における位置に対するずれは、前記軸方向において不規則である請求項５に記載の車両用空調装置。
【請求項７】
前記リブは、前記回転軸部の軸方向に直交する方向において前記回転軸部よりも前記弾性部に近い側に設けられている請求項１から請求項６のいずれか１項に記載の車両用空調装置。
【請求項８】
前記リブは、前記径方向における前記回転軸部側の面が、前記ドア板部の前記表面に対して鋭角を形成するように設けられている請求項１から請求項７のいずれか１項に記載の車両用空調装置。
【発明の詳細な説明】
【技術分野】
【０００１】
この明細書における開示は、車両用空調装置に関する。
【背景技術】
【０００２】
特許文献１には、車両用空調装置において空調ケースの開口部を開閉する開閉ドアが開示されている。この開閉ドアは、ドア本体と、ドア本体の先端に設けられた弾性変形可能なリップシールとを備える。リップシールの先端には、複数個の凸部が設けられている。
【先行技術文献】
【特許文献】
【０００３】
【特許文献１】特開２００５‐１３８６２９号公報
【発明の概要】
【発明が解決しようとする課題】
【０００４】
特許文献１の技術では、リップシールの先端に設けた凸部によってリップシールと開口部の縁部との間を通過するときに空気を撹乱させて、ドアの下流側での空気の渦列の発生を抑制し、風切音を低減させる。しかし、開閉ドアの開度によっては、リップシールと開口部の縁部との間を通過する空気の流速が速く、凸部による撹乱が不十分のまま空気が通過する。換言すれば、空気が層流状態または層流に近い状態を維持したまま開閉ドアと開口部の縁部との間を通過する。この場合、ドアの下流側で渦列が発生し、風切音の原因となる。
【０００５】
開示される目的は、風切音の低減が可能な車両用空調装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された車両用空調装置のひとつは、空気が流通する空気通路（１０ａ）を内部に形成する空調ケース（１０）と、空調ケース内に設けられ、空気通路を開閉する開閉ドア（１００）と、を備え、開閉ドアは、回動可能な回転軸部（１１０）と、回転軸部に連結されて回転軸部の軸回りに回動するドア板部（１２０）と、回転軸部の径方向におけるドア板部の端部に設けられ、ドア板部と異なる弾性変形可能な材料で形成されており、空気通路を閉じた状態で空調ケースと接触する弾性部（１３０、４１３０）と、ドア板部における空気の流れの上流側に位置する表面（１２１）において、径方向に関して弾性部よりも回転軸部側に形成されたリブ（１４０、２１４０）と、を有する。
【０００８】
この開示によれば、空調ケース内を流通し、開閉ドアと空調ケースとの間の隙間に対して流れる空気流れのうち、開閉ドアの上流側の表面に沿って流れる空気は、この表面に設けられたリブに衝突する。リブに衝突した空気は、その流れの向きおよび速度が変化する。開閉ドアと空調ケースとの間の隙間に対して流れる空気流れは、リブによって向きおよび速度が変化した流れと、この流れに衝突する流れとによって、リブがない場合と比較して乱流状態またはより乱流に近い状態の空気流れとなる。この状態の空気流れが開閉ドアと空調ケースとの間を通過するので、開閉ドアの下流側での空気の渦列の発生が抑制される。以上により、風切音の低減が可能な車両用空調装置を提供することができる。
【図面の簡単な説明】
【０００９】
【図１】第１実施形態に係る車両用空調装置の断面図である。
【図２】第１実施形態の吹出ドアを空気流れの上流側から見た平面図である。
【図３】第２実施形態の吹出ドアを示す図である。
【図４】第３実施形態の車両用空調装置の断面図である。
【図５】他の実施形態の車両用空調装置の断面図である。
【発明を実施するための形態】
【００１０】
（第１実施形態）
第１実施形態の車両用空調装置１について、図１、図２を参照しながら説明する。車両用空調装置１は、車室内に温度調整された空気を供給する。車両用空調装置１は、空調ケース１０と、空調ケース１０の内部に配置された冷却用熱交換器および加熱用熱交換器４と、エアミックスドアと、複数の吹出ドア１００とを備える。
【００１１】
空調ケース１０は、ポリプロピレンのような、ある程度弾性を有し、強度的にも優れた樹脂の成形品からなり、分割された複数のケース体からなる。この分割されたケース体は、冷却用熱交換器、加熱用熱交換器４、吹出ドア１００等の機器を収納した後に、締結具により一体に結合されて空調ケース１０を構成する。空調ケース１０は、その内部に空気が流通する空気通路１０ａを形成する通路形成部材である。
【００１２】
空調ケース１０は、車室内の空気である内気を取り込む内気取込口と、車外の空気である外気を取り込む外気取込口との２つの取込口を有する。２つの取込口は、内外気切替ドアによって開放、閉鎖が切替られる。
【００１３】
取込口の付近には、送風装置が設けられている。送風装置は、空調ケース１０内に配置され回転駆動するファンと、ファンを駆動するモータとを備える。送風装置は、ファンの回転駆動によって空気を駆動し、空調ケース１０内に空気流れを形成する。
【００１４】
冷却用熱交換器および加熱用熱交換器４は、空調ケース１０内において送風装置の下流に収容されている。冷却用熱交換器は、送風装置の下流であって加熱用熱交換器４の上流に配置される。冷却用熱交換器は、空調ケース１０内の通路全体を横断するように設けられている。換言すれば、冷却用熱交換器は、空調ケース１０内を流通する実質的に全ての空気と熱交換可能に設けられている。
【００１５】
加熱用熱交換器４は、冷却用熱交換器の下流に配置され、内部を流通する熱媒体と外表面を通過する空気との間の熱交換を提供する。加熱用熱交換器４は、ヒータコア、ヒートポンプサイクルにおける凝縮器等によって提供される。加熱用熱交換器４は、空気通路１０ａを部分的に横断するように配置されている。より具体的には、空気通路１０ａは、冷却用熱交換器よりも下流側で、加熱用熱交換器４が配置される加熱通路と、加熱用熱交換器４を迂回する迂回通路とに分岐している。加熱用熱交換器４は加熱通路全体を横断するように設けられている。
【００１６】
加熱用熱交換器４の上流側には、エアミックスドアが設けられている。エアミックスドアは、加熱通路と迂回通路の開口面積比率を調整することで、それぞれの通路を流通する送風空気の風量を調整する。エアミックスドアは、板ドア、ロータリドア、スライドドア、フィルムドア等の多様なドア部材によって提供することができる。
【００１７】
加熱用熱交換器４の下流側には、空気の加熱を補助するための加熱装置５が設けられている。加熱装置５は、例えばニクロム線ヒータやＰＴＣヒータ等の電気ヒータによって提供される。
【００１８】
空調ケース１０内における空気流れの最下流には、空調風を車室内に吹き出すための複数の吹出口が設けられている。複数の開口は、ダクト等によってそれぞれ対応する複数の吹出口に連通している。複数の吹出口は、例えば車両のフロントガラスに向けて空気を吹き出すデフロスタ吹出口、乗員の上半身に向けて空気を吹き出すフェイス吹出口、乗員の足元に向けて送風空気を吹き出すフット吹出口、後席の乗員に対して送風空気を吹き出すリア吹出口を含む。空調ケース１０には、対応する吹出口から吹き出される送風空気の流量を調整する複数の吹出ドア１００が設けられている。
【００１９】
図１および図２に示す吹出ドア１００は、リア吹出口およびフロントフット吹出口から吹き出される空気の流量を調整するドアである。すなわち吹出ドア１００は、空調ケース１０内に設けられ、空気通路１０ａを開閉する開閉ドアの一例である。この吹出ドア１００は、空調ケース１０においてリア吹出口に連通するリア通路と、フロントフット吹出口に連通するフロントフット通路とが分岐する位置に設けられている。
【００２０】
以下に吹出ドア１００の構成について説明する。以下の構成は、図１に示す吹出ドア１００以外の吹出ドア１００が有していてもよい。以下の構成は、第１実施形態の車両用空調装置１において、空調ケース１０に取り付けられた複数の吹出ドア１００のうち少なくとも１つ以上の吹出ドア１００が有するものである。
【００２１】
吹出ドア１００は、回転軸部１１０と、回転軸部１１０に連結した一対のドア板部１２０と、ドア板部１２０に設けられた弾性部１３０とを有する。吹出ドア１００は、回転軸部１１０の軸方向における略同じ位置に一対のドア板部１２０が連結された所謂バタフライドアである。吹出ドア１００は、回転軸部１１０の回動に伴うドア板部１２０の回動により、空気通路１０ａの開口面積を調整する。
【００２２】
回転軸部１１０は、空調ケース１０に回動可能に支持されている。回転軸部１１０は、歯車機構やモードリンク機構等を介してサーボモータと連結され、サーボモータの回転駆動力が伝達されることで回転駆動する。回転軸部１１０は、例えば樹脂により形成されている。
【００２３】
ドア板部１２０は、回転軸部１１０に接続されて回転軸部１１０の径外方向に向かって延びる平板である。ドア板部１２０は、空気流れの上流側に位置する表面である上流面１２１と、空気流れの下流側に位置する表面である下流面１２２とを有する。上流面１２１には、後述の複数のリブ１４０が設けられている。ドア板部１２０は、樹脂により形成されている。ドア板部１２０は、回転軸部１１０の軸方向において同じ位置に一対取り付けられている。一対のドア板部１２０は、分岐したそれぞれ別の空気通路１０ａの開口面積を、１つの回転軸部１１０の回転によって調整する。一対のドア板部１２０は、それぞれ開閉する空気通路１０ａの形状に合わせた形状に形成されており、例えば図２に示すようにそれぞれ略矩形状である。
【００２４】
弾性部１３０は、ドア板部１２０の径方向における最外端１２３に設けられている。換言すれば、第１実施形態の弾性部１３０は、矩形のドア板部１２０の径方向における外側の辺に相当する縁部に設けられている。ここで最外端１２３は、ドア板部１２０の径方向における端部の先端である。すなわち最外端１２３は、ドア板部１２０の端部に含まれる。弾性部１３０は、ドア板部１２０の軸方向における両側端部１２４にも設けられている。第１実施形態において、弾性部１３０は、ドア板部１２０の外周縁を縁取るように設けられている。弾性部１３０は、ゴム材料等のドア板部１２０と異なる弾性変形可能な材料で形成されている。換言すれば、弾性部１３０はドア板部１２０と比較して容易に弾性変形可能な材料で形成されている。弾性部１３０は、最外端１２３から回転軸部１１０の径外方向に向けて突出するように設けられている。
【００２５】
弾性部１３０は、全閉状態において空調ケース１０と接触することで吹出ドア１００と空調ケース１０との間を閉塞し、空気の流れを実質的に遮断させるシールリップである。弾性部１３０は、先端部が厚さ方向に二股に分岐した略Ｖ字状に形成されている。分岐した先端部のうちの空気流れに対する上流側を上流側先端部１３２と称し、下流側を下流側先端部１３３と称する。弾性部１３０は、分岐した一対の先端部のそれぞれに、外側に向かって突出した複数の突出部１３１を有する。
【００２６】
複数の突出部１３１は、弾性部１３０の先端に間欠的に設けられている。換言すれば、複数の突出部１３１は、弾性部１３０の先端に沿って、所定の間隔をおいて設けられている。すなわち、突出部１３１は、弾性部１３０の先端に、突出部１３１同士の隙間を有する。突出部１３１は、弾性部１３０の先端部と空調ケース１０との間の隙間を通過する空気の流れを乱すことで、空気の流れを層流または層流に近い状態から、乱流または乱流に近い状態へと変化させ、ドア板部１２０の下流側での渦列の発生を抑制する。上流側先端部１３２および下流側先端部１３３の一方に形成された複数の突出部１３１は、他方に形成された複数の突出部１３１と、軸方向においてずれた位置に設けられている。すなわち、上流側先端部１３２および下流側先端部１３３の一方における隣接する突出部１３１と突出部１３１との間に形成される隙間は、他方における隣接する突出部１３１と突出部１３１との間に形成される隙間とは、軸方向において位置がずれている。
【００２７】
複数のリブ１４０は、ドア板部１２０の上流面１２１において、ドア板部１２０と一体成形されている。複数のリブ１４０は、例えばドア板部１２０の上流面１２１に対して垂直に延びる板状のリブである。複数のリブ１４０は、少なくとも径方向において回転軸部１１０側の面がドア板部１２０の表面に対して垂直である。複数のリブ１４０は、ドア板部１２０の上流面１２１に沿って回転軸部１１０側から弾性部１３０側へと流れる空気を一時的にせき止める機能を有するリブである。複数のリブ１４０は、自身に空気を衝突させることで空気の流れを遅くしたり、流れの方向を変更したりする。
【００２８】
複数のリブ１４０は、軸方向に平行な方向に並ぶように設けられている。図２においては、複数のリブ１４０は、径方向において同じ位置に並ぶように形成されている。または、複数のリブ１４０は径方向において多少ずれた位置に形成されていてもよい。複数のリブ１４０は、最外端１２３に設けられた弾性部１３０よりも径方向内側に設けられている。複数のリブ１４０は、径方向において、回転軸部１１０よりもドア板部１２０の最外端１２３側に近い位置に形成されている。複数のリブ１４０は、その全体が、ドア板部１２０の先端よりも径方向内側に収まる程度の寸法に形成されている。
【００２９】
複数のリブ１４０のうち隣接するリブ１４０とリブ１４０との間の幅寸法Ｗ１は、リブ１４０自体の幅寸法よりも小さい。また、幅寸法Ｗ１は、上流側先端部１３２に設けられた突出部１３１と突出部１３１との間の幅寸法Ｗ２と同等以下となるように形成されている。隣接するリブ１４０とリブ１４０との間の隙間の軸方向における位置は、弾性部１３０における隣接する突出部１３１と突出部１３１との間の隙間の軸方向における位置とずれた位置である。また、そのずれは、軸方向において不規則である。ここで、ずれが不規則とは、所定の隣接するリブ１４０同士の隙間と、このリブ１４０同士の隙間に軸方向の一方側で最も近い隣接する突出部１３１同士の隙間との距離と、軸方向の一方側と反対側で最も近い隣接する突出部１３１同士の隙間との距離とが異なっていることを意味する。複数のリブ１４０が形成する全ての隙間が、突出部１３１の隙間に対して不規則にずれているように形成されていてもよいし、特定のリブ１４０同士の１つの隙間が突出部１３１の隙間に対して不規則にずれている構成であってもよい。
【００３０】
次に、第１実施形態の車両用空調装置１における空気流れについて説明する。特に吹出ドア１００の開度が比較的小さい場合の流れを説明する。吹出ドア１００の開度が小さいと、吹出ドア１００の上流から流れてきた空気の一部はドア板部１２０に向かい、ドア板部１２０の表面に沿って、吹出ドア１００の弾性部１３０の先端と空調ケース１０との間に形成されている隙間に向かって流れる。このドア板部１２０の表面に沿って流れる空気流れは、複数のリブ１４０に衝突する。換言すれば、ドア板部１２０の表面に沿って流れる空気流れは、複数のリブ１４０からの抵抗を受ける。複数のリブ１４０からの抵抗を受けた空気は、ドア板部１２０の表面から離間してリブ１４０を乗り越えるように流れるか、またはリブ１４０とリブ１４０との間の隙間を通過して流れる。
【００３１】
複数のリブ１４０に衝突した空気は、リブ１４０によって、その流れの向きおよび速度が変化する。この流れを以下において変化した流れと表記する。変化した流れは、複数のリブ１４０に衝突することのない空気流れ、すなわちドア板部１２０の表面から離間した空気流れと衝突する。この空気流れ同士の衝突により、弾性部１３０の先端と空調ケース１０との間の隙間に対して流れる空気は撹乱されて、リブ１４０がない場合と比較して乱流に変化するか、またはより乱流に近い状態となる。
【００３２】
この空気流れの撹乱は、リブ１４０を乗り越える空気流れ、リブ１４０とリブ１４０との間の隙間を流れる空気流れのどちらのおいても発生する。リブ１４０とリブ１４０との間の隙間を流れる空気流れも、リブ１４０に衝突しない空気流れや、リブ１４０の真後ろの空気との速度差により、撹乱される。
【００３３】
以上のように形成された撹乱された空気流れは、複数のリブ１４０の通過後、弾性部１３０の先端へと向かう。と空調ケース１０との間を通過する。このとき、隣接する突出部１３１と突出部１３１との間の隙間の位置が、隣接するリブ１４０とリブ１４０との間の隙間の位置に対して軸方向にずれているので、リブ１４０とリブ１４０との間を通過して径方向に直進した空気は、突出部１３１に衝突する。すなわち、リブ１４０とリブ１４０との間を通過した空気は、突出部１３１に衝突することでさらに撹乱されて流れる。
【００３４】
以上により、弾性部１３０の先端と空調ケース１０との間の隙間を通過する空気は、複数のリブ１４０および複数の突出部１３１によって、撹乱した空気流れとなっている。このため、層流または層流に近い状態の空気流れと比較して、吹出ドア１００の下流側で渦列が形成されにくくなっている。弾性部１３０の先端と空調ケース１０との間を通過した空気流れは、その後吹出口へと向かい、車室内へと吹き出される。
【００３５】
次に第１実施形態の車両用空調装置１がもたらす作用効果について説明する。空気通路１０ａを内部に形成する空調ケース１０と、空調ケース１０内に設けられ、空気通路１０ａを開閉する吹出ドア１００とを備える。吹出ドア１００は、回動可能な回転軸部１１０と、回転軸部１１０に連結されて回転軸部１１０とともに回動するドア板部１２０とを有する。吹出ドア１００は、ドア板部１２０と異なる弾性変形可能な材料で形成されている。吹出ドア１００は、空気通路１０ａを閉じた状態で空調ケース１０と接触する弾性部１３０と、ドア板部１２０における上流面１２１において、回転軸部１１０の軸方向に直交する方向に関して弾性部１３０よりも回転軸部１１０側に形成されたリブ１４０とを備える。
【００３６】
これによれば、空調ケース１０内を流通し、吹出ドア１００の上流面１２１に沿って流れる空気は、この面に設けられたリブ１４０に衝突し、流れの向きおよび速度が変化する。吹出ドア１００と空調ケース１０との間の隙間に対して流れる空気流れは、リブ１４０によって向きおよび速度が変化した流れと、この流れに衝突する流れとによって、リブ１４０がない場合と比較して乱流状態またはより乱流に近い状態の空気流れとなる。この状態の空気流れが吹出ドア１００と空調ケース１０との間を通過するので、吹出ドア１００の下流側での空気の渦列の発生が抑制される。以上により、風切音の低減が可能な車両用空調装置１を提供することができる。
【００３７】
リブ１４０は、軸方向に複数並んで設けられている。これによれば、リブ１４０によって抵抗を受けた空気流れは、リブ１４０を乗り越えるように流れるのみでなく、リブ１４０とリブ１４０との間を通過するように流れる。リブ１４０とリブ１４０との間を通過する空気は、リブ１４０を乗り越えるように流れる空気よりも狭い空間を通過することになるため、隙間を通過する際の流速がより大きくなる。これにより、リブ１４０の後流側の空気との速度差が大きくなり、より空気流れを撹乱することが可能となる。
【００３８】
軸方向において隣接するリブ１４０とリブ１４０との間の幅寸法Ｗ１は、軸方向におけるリブ１４０自体の幅寸法よりも小さい。リブ１４０とリブ１４０との間の幅寸法がリブ１４０自体の幅寸法よりも大きいと、リブ１４０によって空気が十分な抵抗を受けることなくリブ１４０とリブ１４０との間を通過してしまう。したがって、リブ１４０とリブ１４０との間の幅寸法を、軸方向におけるリブ１４０自体の幅寸法よりも小さくすることで、１つ１つのリブ１４０によって空気が抵抗を受けやすくなる。これにより、リブ１４０によってより多くの空気流れの向き及び速度を変更することが可能となり、空気流れの乱れ度合をより大きくすることができる。
【００３９】
隣接するリブ１４０とリブ１４０との間の幅寸法は、隣接する突出部１３１と突出部１３１との間の幅寸法と同等以下である。これによれば、突出部１３１と突出部１３１との間の隙間を通過する場合と比較して、リブ１４０とリブ１４０との間の隙間を通過した空気の撹乱の度合いが大きくなる。すなわち、弾性部１３０と空調ケース１０との間の隙間を通過する時点よりも上流における空気の撹乱の度合いをより大きくすることが可能となる。このため、より風切音が低減されやすくなる。
【００４０】
複数のリブ１４０が回転軸部１１０よりも弾性部１３０に近い側に形成されているので、空気がより弾性部１３０と空調ケース１０との間の隙間に近い位置で撹乱されることになる。したがって、より撹乱の度合いが大きい状態の空気が弾性部１３０と空調ケース１０との間の隙間を通過することとなる。このため、風切音の低減の効果を高めることが可能となる。
【００４１】
隣接するリブ１４０とリブ１４０との間の間隙部の軸方向における位置は、溝部の軸方向における位置とずれた位置である。これによれば、空気流れのうちリブ１４０とリブ１４０との間の間隙部を通過して直線的に流れる空気流れは、弾性部１３０における凸条部に衝突して抵抗を受ける。これによれば、弾性部１３０においてさらに空気流れを撹乱することが可能になる。
【００４２】
突出部１３１と突出部１３１との間の隙間の位置と、リブ１４０とリブ１４０との間の隙間の位置とのずれが不規則である。これによれば、突出部１３１に衝突して突出部１３１と突出部１３１との間の各隙間に向かう空気は、その圧力損失に軸方向に関してばらつきが生じる。このため、突出部１３１を通過した空気の乱れがより大きくなる。
【００４３】
（第２実施形態）
第２実施形態では、第１実施形態における車両用空調装置１の変形例について説明する。図３において第１実施形態の図面中と同一符号を付した構成要素は、同様の構成要素であり、同様の作用効果を奏するものである。
【００４４】
第２実施形態の車両用空調装置１は、リブ２１４０が軸方向に複数並ぶように形成されているのではなく、軸方向に延びる１つの凸条として形成されている点が第１実施形態と相違する。リブ２１４０の幅方向の長さは、例えばドア板部１２０の幅寸法の半分より大きくなるように形成され、ドア板部１２０の上流面１２１に沿って流れる空気に対して抵抗となりやすくなっている。特にリブ２１４０の幅方向の長さは、ドア板部１２０の幅寸法と略同等であればより確実に上流面１２１に沿って流れる空気の抵抗となり、空気流れを撹乱させやすくなる。
【００４５】
第２実施形態のリブ２１４０によっても、上流面１２１を沿って流れる空気流れを撹乱させることができ、吹出ドア１００の下流側で空気流れの渦列が発生することを抑制することができる。また、軸方向に延びる１つのリブ２１４０は、複数並んだリブ２１４０と比較して、ドア板部１２０の強度を向上させる効果が大きい。
【００４６】
（第３実施形態）
第３実施形態では、第１実施形態における車両用空調装置１の変形例について説明する。図４において第１実施形態の図面中と同一符号を付した構成要素は、同様の構成要素であり、同様の作用効果を奏するものである。
【００４７】
第３実施形態の車両用空調装置１は、複数のリブ３１４０の形状が第１実施形態の複数のリブ１４０と異なる。複数のリブ３１４０は、ドア板部１２０の表面に対して傾斜するように延びる板状のリブである。複数のリブ３１４０は、ドア板部１２０の表面と直交する方向よりも、径方向について径内側に傾斜する方向に延びるように形成されている。複数のリブ３１４０は、特に径方向における回転軸部１１０側の面が、ドア板部１２０の上流面１２１と鋭角を形成するように形成されている。
【００４８】
ドア板部１２０の表面に沿って流れて複数のリブ３１４０に衝突した空気は、複数のリブ３１４０を乗り越える際、径方向について径内側に戻るように流れる。これにより、ドア板部１２０の表面から離間して流れる空気との間の速度差がより大きくなる。このため、リブ３１４０がドア板部１２０の表面と直交する方向や径方向について径外側に傾斜する方向に延びるように形成されている場合と比較して、より空気流れが撹乱されやすくなる。
【００４９】
リブ３１４０は、ドア板部１２０の表面に対して回転軸部側に傾斜するように設けられている。これによれば、ドア板部１２０の表面に沿って流れる空気流れがリブ３１４０によって受ける抵抗がより大きくなる。したがって、空気流れをさらに撹乱させることができる。
【００５０】
（他の実施形態）
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味及び範囲内での全ての変更を含むものと解されるべきである。
【００５１】
上述の実施形態において、リブ１４０、２１４０、３１４０はドア板部１２０と一体成形されているとしたが、一体成形されていなくてもよい。ドア板部１２０と別体に形成されたリブがドア板部１２０に嵌合により連結されている構成であってもよく、接合、接着等により連結されている構成であってもよい。
【００５２】
上述の実施形態において、リブ１４０、２１４０、３１４０は板状であるとしたが、リブの形状はこれに限定されない。例えば、リブは円柱形状や多角柱形状であってもよい。
【００５３】
上述の実施形態において、ドア板部１２０は平板状であるとしたが、ドア板部１２０の形状はこれに限らない。すなわちドア板部１２０は、湾曲した面や屈曲した面を有していてもよい。
【００５４】
上述の実施形態において、リブ１４０、２１４０、３１４０は、上流面１２１に垂直または回転軸部１１０側に傾斜しているとした。これに代えて、弾性部１３０、４１３０側に傾斜していてもよい。
【００５５】
上述の実施形態において、複数のリブ１４０、２１４０、３１４０は軸方向に平行に並んでいるとしたが、その並び方向は平行でなくてもよい。
【００５６】
上述の実施形態において、複数のリブ１４０が形成される開閉ドアは吹出ドア１００であるとしたが、吹出ドア１００以外のドアに形成されていてもよい。回転軸部１１０とドア板部１２０と弾性部１３０を有する板ドアであれば、車両用空調装置１における他の開閉ドア、例えば内外気切替ドアやエアミックスドア等にリブ１４０、２１４０、３１４０が形成されていてもよい。
【００５７】
上述の実施形態において、軸方向にて隣接するリブ１４０とリブ１４０との間の幅寸法は軸方向における複数のリブ１４０自体の幅寸法よりも小さいとした。しかし、上流面１２１に沿って流れる空気を十分に撹乱することができれば、隣接するリブ１４０とリブ１４０との間の幅寸法がリブ１４０自体の幅寸法以上であってもよい。
【００５８】
上述の実施形態において、吹出ドア１００は一対のドア板部１２０が回転軸部１１０に連結されたバタフライドアであるとしたが、これに代えて、１つのドア板部１２０のみが回転軸部１１０に連結された板ドア、所謂片持ちドアであってもよい。
【００５９】
上述の実施形態において、複数のリブ１４０は１つのドア板部１２０につき１列並ぶ構成である。これに代えて、１つのドア板部１２０に複数列並ぶように複数のリブ１４０が形成されていてもよい。
【００６０】
上述の実施形態において、弾性部は、径方向におけるドア板部１２０の最外端１２３に形成されているとしたが、図５に示すように、弾性部４１３０がドア板部１２０の表面に設けられていてもよい。図５に示す例では、弾性部４１３０は最外端１２３に近接して、最外端１２３よりも多少内径側に設けられている。弾性部４１３０は、ドア板部１２０の端部において、空気通路１０ａを閉塞した状態で空気通路１０ａの壁面と接触可能な位置であれば、必ずしも最外端１２３に設けられていなくてもよい。
【符号の説明】
【００６１】
１  車両用空調装置、  １０  空調ケース、  １００  吹出ドア（開閉ドア）、  １０ａ  空気通路、  １１０  回転軸部、  １２０  ドア板部、  １２１  上流面（表面）、  １３０、４１３０  弾性部、  １３１  突出部、  １４０、２１４０  リブ。
【図１】
2019137143.tif 000003
【図２】
2019137143.tif 000004
【図３】
2019137143.tif 000005
【図４】
2019137143.tif 000006
【図５】
2019137143.tif 000007